(57)【要約】【課題】容易で迅速にクリアランスを測定することができるクリアランスゲージを備えたエレベータ及びエレベータのクリアランス測定方法を提供する。【解決手段】実施形態のクリアランスゲージを備えたエレベータは、緩衝器とカウンタウェイトとクリアランスゲージを備えている。緩衝器は、昇降路の最下階床の乗り場よりも下方のピット内に設けられている。カウンタウェイトは、メインロープにより昇降自在に設けられている。クリアランスゲージは、緩衝器と最下方に位置付けられたカウンタウェイトとのクリアランスを測定するためのものである。クリアランスゲージは、最下階床の乗り場の出入口を通して昇降路を囲む内壁面の最下階床の乗り場から視認できる位置に設けられている。【選択図】図２
2015044671.tif 000002
【特許請求の範囲】
【請求項１】
昇降路の最下階床の乗り場よりも下方のピット内に設けられた緩衝器と、メインロープにより昇降自在に設けられかつ最下方に位置付けられたカウンタウェイトとのクリアランスを測定するためのクリアランスゲージを備えたエレベータであって、
前記クリアランスゲージは、前記最下階床の乗り場の出入口を通して前記昇降路を囲む内壁面の前記最下階床の乗り場から視認できる位置に設けられたことを特徴とする、
クリアランスゲージを備えたエレベータ。
【請求項２】
前記クリアランスゲージは、前記出入口からみて奥側の内壁面の前記最下方に位置付けられた前記カウンタウェイトの側方に設けられたことを特徴とする、
請求項１記載のクリアランスゲージを備えたエレベータ。
【請求項３】
前記クリアランスゲージは、前記出入口の左右に設けられる内壁面のうちの一方の前記最下方に位置付けられた前記カウンタウェイトの側方でかつ出入口側に設けられたことを特徴とする、
請求項１記載のクリアランスゲージを備えたエレベータ。
【請求項４】
昇降路の最下階床の乗り場よりも下方のピット内に設けられた緩衝器と、メインロープにより昇降自在に設けられかつ最下方に位置付けられたカウンタウェイトとのクリアランスを測定するエレベータのクリアランス測定方法であって、
前記緩衝器と、前記最下方に位置付けられた前記カウンタウェイトとのクリアランスを測定するためのクリアランスゲージを、最下方の乗り場の出入口を通して前記昇降路を囲む内壁面の前記最下方の乗り場から視認できる位置に予め設けておき、
前記メインロープにより昇降自在に設けられた乗りかごを最上階床に停止させ、最下階床の乗り場の出入口を開放した後、前記最下方に位置付けられた前記カウンタウェイトと前記クリアランスゲージを視認することで、前記クリアランスを測定することを特徴とする、
エレベータのクリアランス測定方法。
【発明の詳細な説明】
【技術分野】
【０００１】
本発明の実施形態は、クリアランスゲージを備えたエレベータ及びエレベータのクリアランス測定方法に関する。
【背景技術】
【０００２】
従来、エレベータは、メインロープの初期伸びが大きい。このために、エレベータは、メインロープの交換後には、一月毎に昇降路のピット内に設けられた緩衝器と、最下方に位置付けられたカウンタウェイトとのクリアランスを測定する必要があった。
【先行技術文献】
【特許文献】
【０００３】
【特許文献１】特開平１１−９２０５６号公報
【発明の概要】
【発明が解決しようとする課題】
【０００４】
メインロープの交換直後には、エレベータは、前述したクリアランスを頻繁に測定する必要があるために、容易で迅速にクリアランスを測定できることが望まれている。
【０００５】
したがって、本発明が解決しようとする課題は、例えば、容易で迅速にクリアランスを測定することができるクリアランスゲージを備えたエレベータ及びエレベータのクリアランス測定方法を提供することにある。
【課題を解決するための手段】
【０００６】
実施形態のクリアランスゲージを備えたエレベータは、緩衝器とカウンタウェイトとクリアランスゲージを備えている。緩衝器は、昇降路の最下階床の乗り場よりも下方のピット内に設けられている。カウンタウェイトは、メインロープにより昇降自在に設けられている。クリアランスゲージは、緩衝器と最下方に位置付けられたカウンタウェイトとのクリアランスを測定するためのものである。クリアランスゲージは、最下階床の乗り場の出入口を通して昇降路を囲む内壁面の最下階床の乗り場から視認できる位置に設けられている。
【図面の簡単な説明】
【０００７】
【図１】図１は、実施形態に係るクリアランスゲージを備えたエレベータの全体の構成を模式的に示す説明図である。
【図２】図２は、実施形態に係るクリアランスゲージを備えたエレベータの要部の正面図である。
【図３】図３は、実施形態に係るクリアランスゲージを備えたエレベータの要部の断面図である。
【図４】図４は、実施形態に係るエレベータのクリアランス測定方法を示すフローである。
【図５】図５は、実施形態の変形例に係るクリアランスゲージを備えたエレベータの要部の断面図である。
【図６】図６は、実施形態の他の変形例に係るクリアランスゲージを備えたエレベータの要部の断面図である。
【発明を実施するための形態】
【０００８】
以下に、本発明につき図面を参照しつつ詳細に説明する。なお、下記の実施形態は例示であり、発明の範囲がそれらに限定されるものではない。また、下記の実施形態における構成要素には、当業者が容易に想定できるものあるいは実質的に同一のものが含まれる。
【０００９】
［実施形態］
本発明の実施形態に係るクリアランスゲージを備えたエレベータを図面に基いて説明する。図１は、実施形態に係るクリアランスゲージを備えたエレベータの全体の構成を模式的に示す説明図、図２は、実施形態に係るクリアランスゲージを備えたエレベータの要部の正面図、図３は、実施形態に係るクリアランスゲージを備えたエレベータの要部の断面図である。
【００１０】
実施形態に係るクリアランスゲージを備えたエレベータ１（図１に示し、以下、単にエレベータと呼ぶ）は、建造物（建築物ともいう）の昇降路１００内に設置される。エレベータ１は、乗りかご２内の行先階登録装置（図示せず）の操作による行先階登録及び各階床の乗り場１０１に設けられた呼び登録装置（図示せず）の操作による呼び登録に基いて乗客などを建造物の所望の階床の乗り場１０１に運搬する。
【００１１】
各階床の乗り場１０１には、図１に示すように、乗りかご２に乗客を出入り自在とする出入口１０２と、出入口１０２を開閉するホール側ドア１０３とが設けられている。なお、図１では、複数の階床の乗り場１０１のうちの最下階床の乗り場１０１のみ示し、他を省略している。
【００１２】
エレベータ１は、図１に示すように、乗りかご２と、カウンタウェイト３と、駆動機構４と、図示しない制御盤と、クリアランスゲージ１０とを備えている。
【００１３】
乗りかご２は、図示しないかご用ガイドレールにより、鉛直方向に昇降自在に支持されている。乗りかご２は、乗客を収容するかご室５を備えている。かご室５は、箱状に形成されて、内側に乗客などを収容可能である。かご室５には、乗客を出入り自在とする出入口６を開閉するかご側ドア７が設けられている。かご室５内に設けられた行先階登録装置には、乗りかご２の昇降動作、かご側ドア７の開閉などを停止させたり、乗りかご２内の照明を消灯させるかご内停止スイッチ（図示せず）が設けられている。
【００１４】
カウンタウェイト３は、図示しないウェイト用ガイドレールにより、鉛直方向に移動自在に支持されている。また、カウンタウェイト３は、メインロープ８の一端部が取り付けられ、乗りかご２は、メインロープ８の他端部が取り付けられている。メインロープ８は、駆動機構４の駆動シーブ９に掛け渡されて、乗りかご２とカウンタウェイト３とが互いに上下反対方向に昇降するように設けられている。このように、乗りかご２とカウンタウェイト３は、メインロープ８により昇降自在に設けられている。即ち、エレベータ１は、所謂、釣瓶式のエレベータとなっている。このように、メインロープ８は、駆動機構４の巻き上げ機により移動されることで、乗りかご２とカウンタウェイト３とを釣瓶式に昇降させる。
【００１５】
駆動機構４は、例えば、昇降路１００の上部に設けられた機械室又は昇降路１００内の上部などに設けられる。駆動機構４は、図１に示すように、周知の巻き上げ機と、メインロープ８が掛け渡されて巻き上げ機により回転駆動される駆動シーブ９と、そらせシーブ９ａとを備えている。そらせシーブ９ａは、回転自在に設けられ、かつメインロープ８が掛け渡されている。駆動機構４は、巻き上げ機が駆動シーブ９を回転駆動することにより、メインロープ８を昇降路１００内で移動させて、乗りかご２とカウンタウェイト３を昇降させる。
【００１６】
また、エレベータ１は、乗りかご用緩衝器１１（緩衝器に相当）と、カウンタウェイト用緩衝器１２（緩衝器に相当）とを備えている。乗りかご用緩衝器１１と、カウンタウェイト用緩衝器１２とは、昇降路１００の最下階床の乗り場１０１よりも下方のピット１００ａ内に設けられている。乗りかご用緩衝器１１は、乗りかご２の下方に設けられ、カウンタウェイト用緩衝器１２は、カウンタウェイト３の下方に設けられている。これらの緩衝器１１，１２は、乗りかご２などに設けられた図示しない非常止め装置を使用しても減速しきれない場合に、乗りかご２及びカウンタウェイト３の衝撃を和らげるものである。
【００１７】
制御盤は、例えば、昇降路１００内などに設けられる機器であって、図示しないＲＡＭ、ＲＯＭ、ＣＰＵ、入出力ポート及び記憶装置を備えた演算装置である。制御盤は、乗りかご２内の行先階登録装置や、各階床の乗り場１０１に設けられた呼び登録装置、駆動機構４などに接続して、エレベータ１全体の運転制御を行う。
【００１８】
クリアランスゲージ１０は、カウンタウェイト用緩衝器１２と、昇降路１００内の最下方に位置付けられたカウンタウェイト３との鉛直方向のクリアランスＣ（図１及び図２に示す）を測定するためのものである。なお、カウンタウェイト３の昇降路１００内の最下方の位置とは、乗りかご２が最上階床の乗り場１０１に位置付けられた際のカウンタウェイト３の位置をいう。
【００１９】
クリアランスゲージ１０は、図３に示すように、昇降路１００を囲む内壁面１０４のうちの最下方に位置付けられたカウンタウェイト３に最も近接する内壁面１０４（以下、符号１０４ａで示す）に設けられている。本実施形態では、クリアランスゲージ１０は、最下階床の乗り場１０１の出入口１０２に対向し、出入口１０２からみて奥側に位置して出入口１０２を通して乗り場１０１から視認できる内壁面１０４ａに設けられている。また、クリアランスゲージ１０は、図２に示すように、出入口１０２の正面からみて、内壁面１０４ａの最下方に位置付けられたカウンタウェイト３の側方（隣）に設けられている。
【００２０】
クリアランスゲージ１０は、鉛直方向に等間隔に設けられた複数の目盛１０ａ，１０ｂを備えている。複数の目盛１０ａ，１０ｂのうちの最下方の目盛１０ａは、カウンタウェイト用緩衝器１２の上面と水平方向に一致する位置に設けられている。他の目盛１０ｂは、目盛１０ａからの鉛直方向の距離を示している。クリアランスゲージ１０は、最下階床の乗り場１０１の出入口１０２に対向する内壁面１０４ａの最下方に位置付けられたカウンタウェイト３の側方に設けられることで、最下階床の乗り場１０１の出入口１０２を通して下方をのぞくことで作業員が視認できる。このように、クリアランスゲージ１０は、最下階床の乗り場１０１の出入口１０２を通して、昇降路１００を囲む内壁面１０４ａの最下階床の乗り場１０１から目盛１０ａ，１０ｂを視認できる位置に設けられている。
【００２１】
次に、実施形態に係るエレベータのクリアランス測定方法を図４に基いて説明する。図４は、実施形態に係るエレベータのクリアランス測定方法を示すフローである。図４に示されたエレベータのクリアランス測定方法は、カウンタウェイト用緩衝器１２と、最下方に位置付けられたカウンタウェイト３とのクリアランスＣを測定する方法である。エレベータのクリアランス測定方法は、特に、メインロープ８が交換された後、例えば、１月毎などの所定期間毎に行われる。
【００２２】
エレベータのクリアランス測定方法では、クリアランスゲージ１０を最下階床の乗り場１０１の出入口１０２を通して昇降路１００を囲む内壁面１０４ａの最下階床の乗り場１０１から視認できる位置に予め設けておく。そして、作業員は、最下階床の乗り場１０１に出入口１０２を囲む点検柵を設置する（ステップＳＴ１）。なお、点検柵は、作業員以外の例えば乗客などが出入口１０２などからピット１００ａに進入することを抑制するものである。そして、作業員は、最下階床の乗り場１０１の出入口１０２の周りに点検柵が設置されているか否かを判定し（ステップＳＴ２）、点検柵が設置されていないと判定する（ステップＳＴ２：Ｎｏ）と、ステップＳＴ１に戻る。点検柵が設置されていると判定する（ステップＳＴ２：Ｙｅｓ）と、作業員は、乗りかご２のかご室５内に乗り込んで、行先階登録装置を操作して、乗りかご２を最上階床の乗り場１０１に停止させる（ステップＳＴ３）。
【００２３】
そして、作業員は、乗りかご２のかご側ドア７を開いたまま、かご内停止スイッチを操作して、乗りかご２の昇降動作、かご側ドア７の開閉動作を停止し、乗りかご２内の照明を消灯する。作業員は、乗りかご２から降りて、再度、最下階床の乗り場１０１に戻る（ステップＳＴ４）。その後、作業員は、かご内停止スイッチが操作されているか否かを判定し（ステップＳＴ５）、かご内停止スイッチが操作されていないと判定する（ステップＳＴ５：Ｎｏ）と、ステップＳＴ３に戻る。かご内停止スイッチが操作されていると判定する（ステップＳＴ５：Ｙｅｓ）と、作業員は、最下階床のホール側ドア１０３のロックを解除し、ホール側ドア１０３を開ける（ステップＳＴ６）。
【００２４】
そして、作業員は、ピット１００ａ内に異臭などの異常な状況がないか否かを判定し（ステップＳＴ７）、ピット１００ａ内に異臭などの異常な状況があると判定する（ステップＳＴ７：Ｎｏ）と、ホール側ドア１０３を閉じて、作業を終了する（ステップＳＴ８）。作業員は、ピット１００ａ内に異臭などの異常な状況がないと判定する（ステップＳＴ７：Ｙｅｓ）と、ホール側ドア１０３を全開させて、ホール側ドア１０３をドアストッパーで固定して、最下階床の乗り場１０１の出入口１０２を開放する（ステップＳＴ９）。
【００２５】
その後、作業員は、ピット１００ａ内にピット１００ａ内を照明するための点検灯を挿入した後、点検灯を点灯させる（ステップＳＴ１０）。作業員は、最下階床の乗り場１０１に設けられた出入口１０２を通して、乗り場１０１からカウンタウェイト用緩衝器１２とカウンタウェイト３とクリアランスゲージ１０を視認する。作業員は、クリアランスゲージ１０などを視認することで、クリアランスＣをクリアランスゲージ１０の目盛１０ａ，１０ｂから読取って測定し、作業を終了する（ステップＳＴ１１）。
【００２６】
実施形態のエレベータ１及びクリアランス測定方法によれば、クリアランスゲージ１０を最下階床の乗り場１０１の出入口１０２を通して内壁面１０４ａの乗り場１０１から視認できる位置に設けている。このために、エレベータ１及びクリアランス測定方法によれば、クリアランスＣを測定する際に、作業員が昇降路１００のピット１００ａ内に侵入する必要がなくなって、作業時間を短縮することができる。したがって、エレベータ１及びクリアランス測定方法によれば、容易で迅速にクリアランスを測定することができる。
【００２７】
また、エレベータ１及びクリアランス測定方法によれば、クリアランスゲージ１０を最下方に位置付けられたカウンタウェイト３に最も近接する内壁面１０４ａに設けている。したがって、エレベータ１及びクリアランス測定方法によれば、クリアランスゲージ１０により、確実にカウンタウェイト用緩衝器１２とカウンタウェイト３とのクリアランスＣを測定することができる。
【００２８】
さらに、エレベータ１及びクリアランス測定方法によれば、クリアランスゲージ１０を出入口１０２からみて奥側の内壁面１０４ａの最下方に位置付けられたカウンタウェイト３の側方に設けている。したがって、エレベータ１及びクリアランス測定方法によれば、確実に出入口１０２を通してカウンタウェイト３とクリアランスゲージ１０とを視認することができる。よって、エレベータ１及びクリアランス測定方法によれば、カウンタウェイト用緩衝器１２とカウンタウェイト３のクリアランスＣを測定することができる。
【００２９】
［変形例］
本発明の実施形態の変形例に係るクリアランスゲージを備えたエレベータを図面に基いて説明する。図５は、実施形態の変形例に係るクリアランスゲージを備えたエレベータの要部の断面図である。図６は、実施形態の他の変形例に係るクリアランスゲージを備えたエレベータの要部の断面図である。なお、図５及び図６において、前述した実施形態と同一部分には、同一符号を付して説明を省略する。
【００３０】
図５及び図６に示された変形例では、クリアランスゲージ１０は、最下方に位置付けられたカウンタウェイト３に最も近接しかつ互いの間に乗りかご２を挟む一対の内壁面１０４（以下、符号１０４ｂ，１０４ｃで示す）のうちの一方に設けられている。なお、一対の内壁面１０４ｂ，１０４ｃは、出入口１０２の左右に設けられる内壁面をなしている。一対の内壁面１０４ｂ，１０４ｃのうちの一方は、最下階床の乗り場１０１の出入口１０２を通して斜め下方をのぞくことで作業員などが視認することができる。
【００３１】
また、クリアランスゲージ１０は、一対の内壁面１０４ｂ，１０４ｃのうちの一方の最下方に位置付けられたカウンタウェイト３の側方でかつカウンタウェイト３よりも出入口１０２側に設けられている。このように、図５及び図６に示された変形例では、クリアランスゲージ１０は、一対の内壁面１０４ｂ，１０４ｃのうちの一方の最下方に位置付けられたカウンタウェイト３の側方でかつ出入口１０２側に設けられることで、最下階床の乗り場１０１の出入口１０２を通して斜め下方をのぞくことで作業員などが視認することができる。このように、変形例においても、クリアランスゲージ１０は、最下階床の乗り場１０１の出入口１０２を通して内壁面１０４ｂ，１０４ｃのうちの一方の乗り場１０１から視認できる位置に設けられている。
【００３２】
変形例のエレベータ１及びクリアランス測定方法によれば、クリアランスゲージ１０を一対の内壁面１０４ｂ，１０４ｃのうちの一方の最下方に位置付けられたカウンタウェイト３の側方でかつ出入口１０２側に設けている。このために、変形例のエレベータ１及びクリアランス測定方法によれば、確実に出入口１０２を通してカウンタウェイト３とクリアランスゲージ１０とを視認することができる。したがって、変形例のエレベータ１及びクリアランス測定方法によれば、カウンタウェイト用緩衝器１２とカウンタウェイト３とのクリアランスＣを測定することができる。
【００３３】
本発明では、カウンタウェイト３に設けられたシーブをメインロープ８の駆動シーブの一方側に掛けて、カウンタウェイト３に設けられたシーブをメインロープ８の駆動シーブの他方側に掛けてもよい。即ち、本発明では、ローピング方式として、乗りかご２及びカウンタウェイト３をメインロープ８に吊り下げる所謂２：１ローピング方式を採用したエレベータに適用してもよい。
【００３４】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００３５】
１  クリアランスゲージを備えたエレベータ
２  乗りかご
３  カウンタウェイト
８  メインロープ
１０  クリアランスゲージ
１２  カウンタウェイト用緩衝器（緩衝器）
１００  昇降路
１００ａ  ピット
１０１  乗り場
１０２  出入口
１０４，１０４ａ，１０４ｂ，１０４ｃ  内壁面
【図１】
2015044671.tif 000003
【図２】
2015044671.tif 000004
【図３】
2015044671.tif 000005
【図４】
2015044671.tif 000006
【図５】
2015044671.tif 000007
【図６】
2015044671.tif 000008
【手続補正書】
【提出日】平成26年8月29日(2014.8.29)
【手続補正１】
【補正対象書類名】特許請求の範囲
【補正対象項目名】請求項１
【補正方法】変更
【補正の内容】
【請求項１】
昇降路の最下階床の乗り場よりも下方のピット内に設けられた緩衝器と、メインロープにより昇降自在に設けられかつ最下方に位置付けられたカウンタウェイトとのクリアランスを測定するためのクリアランスゲージを備えたエレベータであって、
前記クリアランスゲージは、前記最下階床の乗り場の出入口を通して前記昇降路を囲む内壁面の前記最下階床の乗り場から視認できる位置に設けられ、かつ、
前記クリアランスゲージの最下方の目盛は、前記緩衝器の上面と水平方向に一致する位置に設けられ、他の目盛は、前記最下方の目盛からの鉛直方向の距離を示すことを特徴とする、
クリアランスゲージを備えたエレベータ。
【手続補正２】
【補正対象書類名】特許請求の範囲
【補正対象項目名】請求項４
【補正方法】変更
【補正の内容】
【請求項４】
昇降路の最下階床の乗り場よりも下方のピット内に設けられた緩衝器と、メインロープにより昇降自在に設けられかつ最下方に位置付けられたカウンタウェイトとのクリアランスを測定するエレベータのクリアランス測定方法であって、
前記緩衝器と、前記最下方に位置付けられた前記カウンタウェイトとのクリアランスを測定するためのクリアランスゲージを、最下方の乗り場の出入口を通して前記昇降路を囲む内壁面の前記最下方の乗り場から視認できる位置に予め設け、前記クリアランスゲージの最下方の目盛を前記緩衝器の上面と水平方向に一致する位置に設け、他の目盛が前記最下方の目盛からの鉛直方向の距離を示し、
前記メインロープにより昇降自在に設けられた乗りかごを最上階床に停止させ、最下階床の乗り場の出入口を開放した後、前記最下方に位置付けられた前記カウンタウェイトと前記クリアランスゲージを視認することで、前記クリアランスを測定することを特徴とする、
エレベータのクリアランス測定方法。
【手続補正３】
【補正対象書類名】明細書
【補正対象項目名】０００６
【補正方法】変更
【補正の内容】
【０００６】
実施形態のクリアランスゲージを備えたエレベータは、緩衝器とカウンタウェイトとクリアランスゲージを備えている。緩衝器は、昇降路の最下階床の乗り場よりも下方のピット内に設けられている。カウンタウェイトは、メインロープにより昇降自在に設けられている。クリアランスゲージは、緩衝器と最下方に位置付けられたカウンタウェイトとのクリアランスを測定するためのものである。クリアランスゲージは、最下階床の乗り場の出入口を通して昇降路を囲む内壁面の最下階床の乗り場から視認できる位置に設けられている。クリアランスゲージの最下方の目盛は、緩衝器の上面と水平方向に一致する位置に設けられている。他の目盛は、最下方の目盛からの鉛直方向の距離を示す。